(57)【要約】【課題】比較的低い消費電力によって非対称な波形のレーザダイオード変調電流を生成可能なレーザダイオード駆動回路及び、このレーザダイオード駆動回路を備える光送信器を提供する。【解決手段】ＶＡｐ，ＶＡｎの入力を受けて、ＶＡｐ，ＶＡｎを差動増幅してＩＭＯＤｐを出力するメインドライバ３３と、ＶＡｐ，ＶＡｎの入力を受けて、ＶＡｐを遅延したＶＢｐを出力すると共に、ＶＡｎを遅延したＶＢｎを出力するディレイユニット３４１と、ＶＢｐ，ＶＢｎの入力を受け、これらを差動増幅してＩＥＭＰｎを出力するシンメトリックドライバ３４２と、ＶＡｐ，ＶＢｐの入力を受け、これらの否定論理和であるＩＮＯＲ１を出力するＯＲ／ＮＯＲ回路３４４と、ＶＡｎ，ＶＢｎの入力を受け、これらの否定論理和であるＩＮＯＲ２を出力するＯＲ／ＮＯＲ回路３４５と、を含み、ＩＭＯＤｐ，ＩＥＭＰｎ，ＩＮＯＲ１，ＩＮＯＲ２が合成されたＩＴＯＴＡＬｐが出力される。【選択図】図２
2010258405.tif 000002
【特許請求の範囲】
【請求項１】
互いに相補的な第１及び第２データ信号と、該第１及び第２データ信号がそれぞれ所定時間遅延された第１及び第２遅延信号と、のうちの一方の入力を受け差動増幅して第１信号電流を出力する主増幅部と、
前記主増幅部に対して並列に接続される副増幅部と、を備え、
前記副増幅部は、前記第１及び第２データ信号と前記第１及び第２遅延信号とのうちの他方の入力を受け差動増幅して第２信号電流を出力する増幅回路と、前記第１データ信号及び前記第１遅延信号の入力を受け該第１データ信号及び該第１遅延信号の否定論理和である第３信号電流を出力する第１演算回路と、前記第２データ信号及び前記第２遅延信号の入力を受け該第２データ信号及び該第２遅延信号の否定論理和である第４信号電流を出力する第２演算回路と、を有し、
前記第１〜４信号電流が合成されたレーザダイオード変調電流が出力される、ことを特徴とするレーザダイオード駆動回路。
【請求項２】
互いに相補的な第１及び第２データ信号と、該第１及び第２データ信号がそれぞれ所定時間遅延された第１及び第２遅延信号と、のうちの一方の入力を受け差動増幅して第１信号電流を出力する主増幅部と、
前記主増幅部に対して並列に接続される副増幅部と、を備え、
前記副増幅部は、前記第１及び第２データ信号と前記第１及び第２遅延信号とのうちの他方の入力を受け差動増幅して第２信号電流を出力する増幅回路と、前記第１データ信号及び前記第２遅延信号の入力を受け該第１データ信号及び該第２遅延信号の論理和である第３信号電流を出力する第１演算回路と、前記第２データ信号及び前記第１遅延信号の入力を受け該第２データ信号及び該第１遅延信号の論理和である第４信号電流を出力する第２演算回路と、を有し、
前記第１〜４信号電流が合成されたレーザダイオード変調電流が出力される、ことを特徴とするレーザダイオード駆動回路。
【請求項３】
前記主増幅部は、前記第１及び第２データ信号の入力を受けて、該第１及び第２データ信号を差動増幅して前記第１信号電流を出力し、
前記副増幅部は、前記第１及び第２データ信号の入力を受けて、前記第１及び第２遅延信号を生成して出力する遅延回路を更に有する、ことを特徴とする請求項１又は２に記載のレーザダイオード駆動回路。
【請求項４】
前記第１及び第２データ信号の入力を受けて、前記第１及び第２遅延信号を生成して出力する遅延部を更に備え、
前記主増幅部は、前記第１及び第２遅延信号の入力を受けて、該第１及び第２遅延信号を差動増幅して前記第１信号電流を出力する、ことを特徴とする請求項１又は２に記載のレーザダイオード駆動回路。
【請求項５】
請求項１〜４の何れか一項に記載のレーザダイオード駆動回路と、
光信号を生成する光送信サブアセンブリと、を備え、
前記光送信サブアセンブリは、レーザダイオードと、該レーザダイオードに対して並列に接続されたトランジスタと、該トランジスタの制御端子とグランドとの間に接続された抵抗素子と、を有し、
前記レーザダイオードは、前記レーザダイオード駆動回路から出力される前記レーザダイオード変調電流が前記抵抗素子に入力されることにより変調される、
ことを特徴とする光送信器。
【発明の詳細な説明】
【技術分野】
【０００１】
本発明は、レーザダイオード駆動回路及び光送信器に関する。
【背景技術】
【０００２】
従来、レーザダイオード（以下、ＬＤ）を駆動するための技術として、ＬＤに対して並列にトランジスタを接続する方式であるシャント駆動方式によってＬＤを駆動する技術が知られている。このような技術の一例が、特許文献１に記載されている。特許文献１の技術においては、ＬＤに対して並列に接続された電界効果トランジスタ（以下、ＦＥＴ）のゲートにＬＤ変調信号を入力することにより、ＬＤを変調して駆動している。このようなシャント駆動方式によれば、ＦＥＴがゲインを持つため、ＬＤを比較的低い消費電力によって駆動することができる。
【０００３】
しかし、シャント駆動方式によってＬＤを駆動する場合には、差動駆動方式によってＬＤを駆動する場合と比較して、ＬＤから発せられる光の波形が劣る、という問題がある。一方、ＬＤ変調信号をプリエンファシス及びディエンファシス可能なレーザダイオード駆動回路（以下、ＬＤＤ）が知られている。このようなＬＤＤの一例が特許文献２及び３に記載されている。特許文献２及び３のＬＤＤは、正または負のピーキング信号を生成し、このピーキング信号とメイン信号とを加算することによってプリエンファシス及びディエンファシスされた出力信号（ＬＤ変調信号）を生成している。これら特許文献２及び３のＬＤＤを、特許文献１の技術に適用することにより、ＬＤから発せられる光の波形を調整することができる。
【０００４】
しかしながら、一般に、ＬＤから発せられる光の波形は、ＬＤの緩和振動の影響により、立ち上がり時間が早く、立ち下がり時間が遅い非対称な波形となる。特許文献２及び３のＬＤＤは、対称な波形の出力信号しか生成できないので、ＬＤから発せられる光の波形の非対称性を改善することができない。これに対して、近年、非対称な波形の出力信号を生成することが可能なＬＤＤが知られている。このようなＬＤＤの一例が、特許文献４に記載されている。特許文献４のＬＤＤは、メイン信号と、メイン信号とメイン信号を遅延した信号の差分信号と、メイン信号とメイン信号の遅延した信号の排他的論理和信号と、を用いて、非対称な波形の出力信号（ＬＤ変調信号）を生成している。
【先行技術文献】
【特許文献】
【０００５】
【特許文献１】米国特許６６１８４０８号明細書
【特許文献２】米国特許６３７３３４６号明細書
【特許文献３】特開平０９−１４８６３１号公報
【特許文献４】米国特許７１４７３８７号明細書
【発明の概要】
【発明が解決しようとする課題】
【０００６】
特許文献４のＬＤＤにおいては、差分信号は差分回路によって生成される。この差分信号とメイン信号とを加算することにより、遅延差によってピーキングが得られるが、このピーキングに対する環境変動や外乱等の影響を排除するためには、差分回路を線形で構成する必要がある。このため、特許文献４のＬＤＤによれば、必要以上に回路電流が必要になり消費電力が比較的大きくなる。
【０００７】
そこで、本発明は、比較的低い消費電力によって非対称な光波形を改善することが可能なレーザダイオード駆動回路及び、このレーザダイオード駆動回路を備える光送信器を提供することを目的とする。
【課題を解決するための手段】
【０００８】
本発明のレーザ駆動回路は、互いに相補的な第１及び第２データ信号と、該第１及び第２データ信号がそれぞれ所定時間遅延された第１及び第２遅延信号と、のうちの一方の入力を受け差動増幅して第１信号電流を出力する主増幅部と、主増幅部に対して並列に接続される副増幅部と、を備え、副増幅部は、第１及び第２データ信号と第１及び第２遅延信号とのうちの他方の入力を受け差動増幅して第２信号電流を出力する増幅回路と、第１データ信号及び第１遅延信号の入力を受け該第１データ信号及び該第１遅延信号の否定論理和である第３信号電流を出力する第１演算回路と、第２データ信号及び第２遅延信号の入力を受け該第２データ信号及び該第２遅延信号の否定論理和である第４信号電流を出力する第２演算回路と、を有し、第１〜４信号電流が合成されたレーザダイオード変調電流が出力される、ことを特徴とする。
【０００９】
また、本発明のレーザダイオード駆動回路は、互いに相補的な第１及び第２データ信号と、該第１及び第２データ信号がそれぞれ所定時間遅延された第１及び第２遅延信号と、のうちの一方の入力を受け差動増幅して第１信号電流を出力する主増幅部と、主増幅部に対して並列に接続される副増幅部と、を備え、副増幅部は、第１及び第２データ信号と第１及び第２遅延信号とのうちの他方の入力を受け差動増幅して第２信号電流を出力する増幅回路と、第１データ信号及び第２遅延信号の入力を受け該第１データ信号及び該第２遅延信号の論理和である第３信号電流を出力する第１演算回路と、第２データ信号及び第１遅延信号の入力を受け該第２データ信号及び該第１遅延信号の論理和である第４信号電流を出力する第２演算回路と、を有し、第１〜４信号電流が合成されたレーザダイオード変調電流が出力される、ことを特徴とする。
【００１０】
ここで、本発明のレーザダイオード駆動回路においては、主増幅部は、第１及び第２データ信号の入力を受けて、該第１及び第２データ信号を差動増幅して第１信号電流を出力し、副増幅部は、第１及び第２データ信号の入力を受けて、第１及び第２遅延信号を生成して出力する遅延回路を更に有する、ことが好ましい。
【００１１】
或いは、本発明のレーザダイオード駆動回路においては、第１及び第２データ信号の入力を受けて、第１及び第２遅延信号を生成して出力する遅延部を更に備え、主増幅部は、第１及び第２遅延信号の入力を受けて、該第１及び第２遅延信号を差動増幅して前記第１信号電流を出力する、ことが好ましい。
【００１２】
本発明のレーザダイオード駆動回路によれば、主増幅部及び副増幅部が第１データ信号及び第２データ信号を基に生成する第１〜第４電流信号を合成するので、レーザダイオード変調電流が非対称な波形に形成される。また、本発明のレーザダイオード駆動回路においては、差分信号の生成等のアナログ演算を必用としないので、線形増幅が不要であり、したがって消費電力の増大を抑制することができる。これにより、本発明のレーザダイオード駆動回路によれば、比較的低い消費電力によって非対称な光波形を改善することが可能である。
【００１３】
また、本発明の光送信器は、上述したレーザダイオード駆動回路と、光信号を生成する光送信サブアセンブリと、を備え、光送信サブアセンブリは、レーザダイオードと、該レーザダイオードに対して並列に接続されたトランジスタと、該トランジスタの制御端子とグランドとの間に接続された抵抗素子と、を有し、レーザダイオードは、レーザダイオード駆動回路から出力されるレーザダイオード変調電流が抵抗素子に入力されることにより変調される、ことを特徴とする。
【００１４】
本発明の光送信器においては、レーザダイオードは、非対称な波形を有するレーザダイオード変調電流によって変調される。したがって、本発明の光送信器によれば、波形の非対称性が改善された光信号を出力することができる。さらに、シャント駆動方式を採用することにより、一層の低消費電力化が可能である。
【発明の効果】
【００１５】
比較的低い消費電力によって非対称な光波形を改善することが可能なレーザダイオード駆動回路及び、このレーザダイオード駆動回路を備える光送信器を提供できる。
【図面の簡単な説明】
【００１６】
【図１】本発明の第１実施形態に係る光送信器の回路図である。
【図２】図１に示されたサブドライバの詳細を示す回路図である。
【図３】図２に示されたシンメトリックドライバ及びＯＲ／ＮＯＲ回路の一例を示す回路図である。
【図４】第１実施形態に係る光送信器において生成される各信号のタイミングチャートである。
【図５】第１実施形態に係る光送信器において生成される各信号のタイミングチャートである。
【図６】第１実施形態に係る光送信器による光信号の出力結果を示す図である。
【図７】本発明の第２実施形態に係る光送信器の回路図である。
【図８】図７に示されたサブドライバの詳細を示す回路図である。
【図９】第２実施形態に係る光送信器において生成される各信号のタイミングチャートである。
【図１０】第２実施形態に係る光送信器において生成される各信号のタイミングチャートである。
【図１１】本発明の第３実施形態に係る光送信器の回路図である。
【図１２】図１１に示されたサブドライバの詳細を示す回路図である。
【図１３】第３実施形態に係る光送信器において生成される各信号のタイミングチャートである。
【図１４】第３実施形態に係る光送信器において生成される各信号のタイミングチャートである。
【図１５】本発明の第４実施形態に係る光送信器の回路図である。
【図１６】図１５に示されたサブドライバの詳細を示す回路図である。
【図１７】第４実施形態に係る光送信器において生成される各信号のタイミングチャートである。
【図１８】第４実施形態に係る光送信器において生成される各信号のタイミングチャートである。
【図１９】本発明の他の実施形態に係る光送信器の回路図である。
【発明を実施するための形態】
【００１７】
以下、図面を参照して、本発明に係る好適な実施形態について詳細に説明する。なお、図面の説明において、可能な場合には、同一要素には同一符号を付し、重複する説明を省略する。
【００１８】
（第１実施形態）本発明に係る光送信器の第１実施形態について説明する。図１は、第１実施形態に係る光送信器を表す回路図である。図１に示されるように、第１実施形態に係る光送信器１ａは、光送信サブアセンブリ２、レーザダイオード駆動回路３ａ、結合容量１１、インダクタ１２，１５、負荷抵抗１４及び電流源１６を備える。光送信器１ａは、レーザダイオード駆動回路３ａにおいて生成されるレーザダイオード変調電流に応じて、光信号を生成して出力する光送信器である。
【００１９】
光送信サブアセンブリ２は、レーザダイオード２１と、電界効果トランジスタ２２と、終端抵抗（抵抗素子）２３と、を有する。電界効果トランジスタ２２は、レーザダイオード２１に対して並列に接続されている。終端抵抗２３は、電界効果トランジスタ２２のゲート（制御端子）とグランドとの間に接続されている。電界効果トランジスタ２２のソースは終端抵抗２３及びレーザダイオード２１のカソードと共通にグランドに接地されている。また、電界効果トランジスタ２２のドレインは、レーザダイオード２１のアノードと共通して、光送信サブアセンブリ２外部の電流源１６にインダクタ１５を介して接続されている。このように、光送信サブアセンブリ２は、片相入力のシャント駆動の光送信サブアセンブリである。なお、インダクタ１５は、高周波信号をブロックするための素子であって、光送信サブアセンブリ２の内部に設けることもできる。また、インダクタ１５に替えてトランジスタ等のアクティブ素子を用いることもできる。
【００２０】
レーザダイオード駆動回路３ａは、入力端子３０ａ，３０ｂ、インプットバッファ３１、プリドライバ３２、メインドライバ（主増幅部）３３、サブドライバ（副増幅部）３４ａ、バックターミネーション抵抗３５、端子３６及び出力端子３７ａ，３７ｂを有する。インプットバッファ３１、プリドライバ３２及びメインドライバ３３は、それぞれ直列に接続されている。サブドライバ３４ａは、メインドライバ３３に対して並列に接続されている。メインドライバ３３及びサブドライバ３４ａの出力端子は、出力端子３７ａ，３７ｂにそれぞれ接続されている。バックターミネーション抵抗３５及び端子３６は、メインドライバ３３及びサブドライバ３４ａの出力端子と出力端子３７ａ，３７ｂとの間に分岐して接続されている。出力端子３７ａは、結合容量１１及び負荷抵抗１４を介してグランドに接続されている。出力端子３７ｂは、結合容量１１を介して光送信サブアセンブリ２の終端抵抗２３に接続されている。出力端子３７ｂと終端抵抗２３との間に一端が接続されるインダクタ１２は、他端がバイアス電圧印加用の端子１３に接続されている。端子３６電源に接続され、メインドライバ３３とサブドライバ３４ａとにバイアスを供給する。
【００２１】
インプットバッファ３１は、入力端子３０ａ，３０ｂを介して入力される互いに相補的な差動信号を増幅して出力する。プリドライバ３２は、メインドライバ３３とサブドライバ３４ａとを駆動するための低出力インピーダンス増幅器である。メインドライバ３３は、プリドライバ３２から入力される互いに相補的な差動のメイン信号（第１データ信号）ＶＡｐ及びメイン信号（第２データ信号）ＶＡｎを増幅して信号電流（第１信号電流）ＩＭＯＤｐ及び信号電流ＩＭＯＤｎを出力する。サブドライバ３４ａは、プリドライバ３２からメイン信号ＶＡｐ，ＶＡｎの入力を受けて信号電流ＩＳＵＢｐ，ＩＳＵＢｎを出力する。バックターミネーション抵抗３５は、光送信サブアセンブリ２とレーザダイオード駆動回路３ａとの間をマイクロストリップラインの様な有限の伝送線路インピーダンスを持つ伝送路で接続する場合、負荷や伝送線路からの反射を吸収するために用いられる。
【００２２】
図２は、図１に示されるサブドライバ３４ａの詳細を表す回路図である。図２に示されるように、サブドライバ３４ａは、ディレイユニット（遅延回路）３４１、シンメトリックドライバ（増幅回路）３４２、アシンメトリックドライバ３４３及び外部端子３４６，３４７，３４８，３４９を有する。また、アシンメトリックドライバ３４３は、ＯＲ／ＮＯＲ回路（第１演算回路）３４４及びＯＲ／ＮＯＲ回路（第２演算回路）３４５を含む。
【００２３】
サブドライバ３４ａの入力信号は、メイン信号ＶＡｐ，ＶＡｎである。サブドライバ３４ａに入力されたメイン信号ＶＡｐ，ＶＡｎは、ディレイユニット３４１において遅延時間τの遅延が与えられ、それぞれ差動の遅延信号（第１遅延信号）ＶＢｐ及び遅延信号（第２遅延信号）ＶＢｎとして出力される。ディレイユニット３４１は、外部端子３４６から送信される信号に応じて、遅延時間τを可変制御可能に構成されている。また、ディレイユニット３４１は、外部端子３４７からの信号に応じて、出力信号（ＶＢｐ，ＶＢｎ）の極性を反転可能に構成されている。ディレイユニット３４１から出力される遅延信号ＶＢｐ，ＶＢｎは、それぞれシンメトリックドライバ３４２及びアシンメトリックドライバ３４３に入力される。
【００２４】
シンメトリックドライバ３４２は、遅延信号ＶＢｐ，ＶＢｎを差動増幅して信号電流ＩＥＭＰｐ及び信号電流（第２信号電流）ＩＥＭＰｎを出力する。このシンメトリックドライバ３４２は、例えば、図３（ａ）に示されるような差動対で構成されている。この差動対の電流源ｌ０は外部端子３４９により調整することができる。
【００２５】
アシンメトリックドライバ３４３のＯＲ／ＮＯＲ回路３４４は、メイン信号ＶＡｐ及び遅延信号ＶＢｐの入力を受けて、メイン信号ＶＡｐ及び遅延信号ＶＢｐの否定論理和である信号電流（第３信号電流）ＩＮＯＲ１を出力すると共に、メイン信号ＶＡｐ及び遅延信号ＶＢｐの論理和である信号電流ＩＯＲ１を出力する。アシンメトリックドライバ３４３のＯＲ／ＮＯＲ回路３４５は、メイン信号ＶＡｎ及び遅延信号ＶＢｎの入力を受けて、メイン信号ＶＡｎ及び遅延信号ＶＢｎの否定論理和である信号電流（第４信号電流）ＩＮＯＲ２を出力すると共に、メイン信号ＶＡｎ及び遅延信号ＶＢｎの論理和である信号電流ＩＯＲ２を出力する。信号電流ＩＮＯＲ１と信号電流ＩＮＯＲ２とは電流加算され（合成され）、信号電流ＩＣＰｎとしてアシンメトリックドライバ３４３から出力される。また、信号電流ＩＯＲ１と信号電流ＩＯＲ２とは電流加算され、信号電流ＩＣＰｐとしてアシンメトリックドライバ３４３から出力される。
【００２６】
ＯＲ／ＮＯＲ回路３４４，３４５は、例えば、図３（ｂ）に示されるような回路構成を有する。この回路構成によれば、入力端子Ａ又はＢの電圧のどちらか一方が端子Ｖｔｈの電圧を超えた場合に、端子ＯＲから電流を引き込むことができる。また、入力端子Ａ及びＢの両端子の電圧が共に端子Ｖｔｈの電圧を下回った場合に、端子ＮＯＲから電流を引き込むことができる。ここで、端子Ｖｔｈには入力端子Ａ及びＢに入力される信号の論理を判定するための閾値電圧が供給されている。また、電流源ＩＣＰは、図２に示されるように、外部端子３４８により調整することができる。
【００２７】
アシンメトリックドライバ３４３から出力された信号電流ＩＣＰｐは、シンメトリックドライバ３４２から出力された信号電流ＩＥＭＰｐと電流加算され、信号電流ＩＳＵＢｐとしてサブドライバ３４ａから出力される。また、アシンメトリックドライバ３４３から出力された信号電流ＩＣＰｎは、シンメトリックドライバ３４２から出力された信号電流ＩＥＭＰｎと電流加算され、信号電流ＩＳＵＢｎとしてサブドライバ３４ａから出力される。
【００２８】
サブドライバ３４ａから出力された信号電流ＩＳＵＢｐは、メインドライバ３３から出力された信号電流ＩＭＯＤｎと電流加算され、信号電流ＩＴＯＴＡＬｎとなる。また、サブドライバ３４ａから出力された信号電流ＩＳＵＢｎは、メインドライバ３３から出力された信号電流ＩＭＯＤｐと電流加算され、信号電流（レーザダイオード変調電流）ＩＴＯＴＡＬｐとなる。信号電流ＩＴＯＴＡＬｎは、出力端子３７ａ及び結合容量１１を介して負荷抵抗１４に供給される。また、信号電流ＩＴＯＴＡＬｐは、出力端子３７ｂ及び結合容量１１を介して光送信サブアセンブリ２の終端抵抗２３に供給される。
【００２９】
続いて、図４及び図５を用いて、光送信器１ａにおける各信号波形の生成について説明する。図４及び図５は、光送信器１ａにおける各信号のタイミングチャートであって、縦軸は電流及び電圧を任意の単位によって表しており、横軸は時間を任意の単位によって表している。図４（ａ）はメイン信号ＶＡｐを表しており、図４（ｂ）は遅延信号ＶＢｐを表している。図４（ａ）及び図４（ｂ）において、縦軸は電圧を表している。図４（ａ）及び図４（ｂ）に示されるように、遅延信号ＶＢｐは、メイン信号ＶＡｐに対してディレイユニット３４１によって遅延時間τ（τ＝２）だけ遅延された信号となっている。図４（ｃ）は、メイン信号ＶＡｐと遅延信号ＶＢｐとの否定論理和である信号電流ＩＮＯＲ１を表している。また、図４（ｄ）は、メイン信号ＶＡｎと遅延信号ＶＢｎとの否定論理和である信号電流ＩＮＯＲ２を表している。図４（ｅ）は、メインドライバ３３からの出力信号である信号電流ＩＭＯＤｐを表している。図４（ｆ）は、シンメトリックドライバ３４２からの出力信号である信号電流ＩＥＭＰｎを表している。この信号電流ＩＥＭＰｎは、遅延信号ＶＢｐに対して位相を反転した信号電流である。図４（ｇ）は、信号電流ＩＮＯＲ１と信号電流ＩＮＯＲ２とを電流加算して得られる信号電流ＩＣＰｎを表している。図４（ｈ）は、信号電流ＩＣＰｎと、信号電流ＩＥＭＰｎと、信号電流ＩＭＯＤｐと、を電流加算して得られる信号電流ＩＴＯＴＡＬｐを表している。図４（ｈ）によれば、レーザダイオード駆動回路３ａから出力される信号電流ＩＴＯＴＡＬｐは、立ち上がりが遅く立ち下りが早い非対称な波形を有することがわかる。この信号電流ＩＴＯＴＡＬｐが、バックターミネーション抵抗３５と終端抵抗２３とからなる負荷抵抗により電圧に変換されることにより、図４（ｉ）に示される信号電圧が得られる。この信号電圧が、光送信サブアセンブリ２の電界効果トランジスタ２２によって反転して、レーザダイオード２１に流れる信号電流ＩＬＤが生成される。図４（ｊ）はこの信号電流ＩＬＤを表している。レーザダイオード２１は、このような信号電流ＩＬＤに応じて光信号を生成する。このため、光送信器１ａによれば、立ち上がりを遅くし、立ち下りを早くするように波形が調整された、即ち、波形の非対称性が改善された光信号を生成して出力することができる。
【００３０】
図５（ａ）はメイン信号ＶＡｐを表しており、図５（ｂ）は遅延信号ＶＢｐを表している。図５（ａ）及び図５（ｂ）において、縦軸は電圧を表している。図５（ｃ）は、メイン信号ＶＡｐと遅延信号ＶＢｐとの論理和である信号電流ＩＯＲ１を表している。また、図５（ｄ）は、メイン信号ＶＡｎと遅延信号ＶＢｎとの論理和である信号電流ＩＯＲ２を表している。図５（ｅ）は、メインドライバ３３からの出力信号である信号電流ＩＭＯＤｎを表している。図５（ｆ）は、シンメトリックドライバ３４２からの出力信号である信号電流ＩＥＭＰｐを表している。このＩＥＭＰｐは、遅延信号ＶＢｎに対して位相を反転した信号電流である。図５（ｇ）は、信号電流ＩＯＲ１と信号電流ＩＯＲ２とを電流加算して得られる信号電流ＩＣＰｐを表している。図５（ｈ）は、信号電流ＩＣＰｐと、信号電流ＩＥＭＰｐと、信号電流ＩＭＯＤｎと、を電流加算して得られる信号電流ＩＴＯＴＡＬｎを表している。図５（ｈ）によれば、レーザダイオード駆動回路３ａから出力されるＩＴＯＴＡＬｎは、立ち上がりが早く立ち下がりが遅い非対称な波形を有することがわかる。図５（ｉ）は、ＩＴＯＴＡＬｎが負荷抵抗１４に供給されることにより生成される信号電圧の波形を表している。図４（ｉ）及び図５（ｉ）によれば、各信号電圧は、互いに振幅が同じで位相が反転した信号（差動出力信号）であることがわかる。
【００３１】
以上説明したように、光送信器１ａによれば、レーザダイオード２１を駆動するための信号電流ＩＬＤの生成の際に、差分信号の生成等のアナログ演算を必用としないので、線形増幅が不要であり、したがって消費電力の増大を抑制することができる。
【００３２】
続いて、図６を用いて光信号の出力結果を以下について説明する。図６（ａ）は、従来の光送信器により生成された１０Ｇｂ／ｓ光信号のアイパターンを表しており、図６（ｂ）は第１実施形態の光送信器１ａにより生成された１０Ｇｂ／ｓ光信号のアイパターンを表している。図６（ａ）及び図６（ｂ）によれば、光送信器１ａにより生成された光信号は、従来の場合の光信号に比べて、立ち下がり波形が効果的に改善され、アイパターンの開口率が良くなっていることがわかる。したがって、第１実施形態の光送信器１ａによれば、波形の非対称性が改善された光信号を出力することができる。
【００３３】
（第２実施形態）次に、本発明に係る光送信器の第２実施形態について説明する。図７は、第２実施形態に係る光送信器を表す回路図である。図７に示されるように、第２実施形態に係る光送信器１ｂは、第１実施形態に係る光送信器１ａのレーザダイオード駆動回路３ａに替えて、レーザダイオード駆動回路３ｂを備えている。光送信器１ｂのその他の構成は、光送信器１ａと同様である。レーザダイオード駆動回路３ｂは、レーザダイオード駆動回路３ａのサブドライバ３４ａに替えてサブドライバ（副増幅部）３４ｂを有している。レーザダイオード駆動回路３ｂのその他の構成は、レーザダイオード駆動回路３ａと同様である。
【００３４】
サブドライバ３４ｂの詳細について説明する。図８は、サブドライバ３４ｂの詳細を表す回路図である。図８に示されるように、サブドライバ３４ｂは、サブドライバ３４ａと同様の構成を有するが、各回路間における信号の入出力についての接続関係が異なっている。サブドライバ３４ｂにおいては、ＯＲ／ＮＯＲ回路３４４は、メイン信号（第１データ信号）ＶＡｐ及び遅延信号（第２遅延信号）ＶＢｎの入力を受けて、メイン信号ＶＡｐ及び遅延信号ＶＢｎの否定論理和である信号電流ＩＮＯＲ１を出力すると共に、メイン信号ＶＡｐ及び遅延信号ＶＢｎの論理和である信号電流（第３信号電流）ＩＯＲ１を出力する。ＯＲ／ＮＯＲ回路３４５は、メイン信号（第２データ信号）ＶＡｎ及び遅延信号（第１遅延信号）ＶＢｐの入力を受けて、メイン信号ＶＡｎ及び遅延信号ＶＢｐの否定論理和である信号電流ＩＮＯＲ２を出力すると共に、メイン信号ＶＡｎ及び遅延信号ＶＢｐの論理和である信号電流（第４信号電流）ＩＯＲ２を出力する。信号電流ＩＮＯＲ１と信号電流ＩＮＯＲ２とは電流加算され（合成され）、信号電流ＩＣＰｐとしてアシンメトリックドライバ３４３から出力される。また、信号電流ＩＯＲ１と信号電流ＩＯＲ２とは電流加算され、信号電流ＩＣＰｎとしてアシンメトリックドライバ３４３から出力される。
【００３５】
アシンメトリックドライバ３４３から出力された信号電流ＩＣＰｐは、シンメトリックドライバ３４２から出力された信号電流ＩＥＭＰｐと電流加算され、信号電流ＩＳＵＢｐとしてサブドライバ３４ｂから出力される。また、アシンメトリックドライバ３４３から出力された信号電流ＩＣＰｎは、シンメトリックドライバ３４２から出力された信号電流ＩＥＭＰｎと電流加算され、信号電流ＩＳＵＢｎとしてサブドライバ３４ｂから出力される。
【００３６】
図９及び図１０を用いて、第２実施形態に係る光送信器１ｂにおける各信号波形の生成について説明する。図９及び図１０は、光送信器１ｂにおける各信号のタイミングチャートであって、縦軸は電流及び電圧を任意の単位によって表しており、横軸は時間を任意の単位によって表している。図９（ａ）はメイン信号ＶＡｐを表しており、図９（ｂ）は遅延信号ＶＢｎを表している。図９（ａ）及び図９（ｂ）において、縦軸は電圧を表している。図９（ａ）及び図９（ｂ）に示されるように、遅延信号ＶＢｎは、メイン信号ＶＡｎに対してディレイユニット３４１によって遅延時間τ（τ＝２）だけ遅延された信号となっている。図９（ｃ）は、メイン信号ＶＡｐと遅延信号ＶＢｎとの論理和である信号電流ＩＯＲ１を表している。また、図９（ｄ）は、メイン信号ＶＡｎと遅延信号ＶＢｐとの論理和である信号電流ＩＯＲ２を表している。図９（ｅ）は、メインドライバ３３からの出力信号である信号電流ＩＭＯＤｐを表している。図９（ｆ）は、シンメトリックドライバ３４２からの出力信号である信号電流ＩＥＭＰｎを表している。図９（ｇ）は、信号電流ＩＯＲ１と信号電流ＩＯＲ２とを電流加算して得られる信号電流ＩＣＰｎを表している。図９（ｈ）は、信号電流ＩＣＰｎと、信号電流ＩＥＭＰｎと、信号電流ＩＭＯＤｐと、を電流加算して得られる信号電流ＩＴＯＴＡＬｐを表している。図９（ｈ）によれば、レーザダイオード駆動回路３ｂから出力される信号電流ＩＴＯＴＡＬｐは、立ち上がりが遅く立ち上がりが早い非対称な波形を有することがわかる。この信号電流ＩＴＯＴＡＬｐが、バックターミネーション抵抗３５と終端抵抗２３とからなる負荷抵抗により電圧に変換されることにより、図９（ｉ）に示される信号電圧が得られる。この信号電圧が、光送信サブアセンブリ２の電界効果トランジスタ２２によって反転して、レーザダイオード２１に流れる信号電流ＩＬＤが生成される。図９（ｊ）はこの信号電流ＩＬＤを表している。レーザダイオード２１は、このような信号電流ＩＬＤに応じて光信号を生成する。このため、光送信器１ｂによれば、立ち上がりを遅くし、立ち下りを早くするように波形が調整された、即ち、波形の非対称性が改善された光信号を生成することができる。
【００３７】
図１０（ａ）はメイン信号ＶＡｐを表しており、図１０（ｂ）は遅延信号ＶＢｎを表している。図１０（ａ）及び図１０（ｂ）において、縦軸は電圧を表している。図１０（ｃ）は、メイン信号ＶＡｐと遅延信号ＶＢｎとの否定論理和である信号電流ＩＮＯＲ１を表している。また、図１０（ｄ）は、メイン信号ＶＡｎと遅延信号ＶＢｐとの否定論理和である信号電流ＩＮＯＲ２を表している。図１０（ｅ）は、メインドライバ３３からの出力信号である信号電流ＩＭＯＤｎを表している。図１０（ｆ）は、シンメトリックドライバ３４２からの出力信号である信号電流ＩＥＭＰｐを表している。図１０（ｇ）は、信号電流ＩＮＯＲ１と信号電流ＩＮＯＲ２とを電流加算して得られる信号電流ＩＣＰｐを表している。図１０（ｈ）は、信号電流ＩＣＰｐと、信号電流ＩＥＭＰｐと、信号電流ＩＭＯＤｎと、を電流加算して得られる信号電流ＩＴＯＴＡＬｎを表している。図１０（ｈ）によれば、レーザダイオード駆動回路３ｂから出力されるＩＴＯＴＡＬｎは、立ち上がりが早く立ち下がりが遅い非対称な波形を有することがわかる。図１０（ｉ）は、ＩＴＯＴＡＬｎが負荷抵抗１４に供給されることにより生成される信号電圧の波形を表している。図９（ｉ）及び図１０（ｉ）によれば、各信号電圧は、互いに振幅が同じで位相が反転した信号（差動出力信号）とであることがわかる。
【００３８】
以上説明したように、光送信器１ｂによれば、レーザダイオード２１を駆動するための信号電流ＩＬＤの生成の際に、差分信号の生成等のアナログ演算を必用としないので、線形増幅が不要であり、したがって消費電力の増大を抑制することができる。
【００３９】
（第３実施形態）次に、本発明に係る光送信器の第３実施形態について説明する。図１１は、第３実施形態に係る光送信器を表す回路図である。図１１に示されるように、第３実施形態に係る光送信器１ｃは、第１実施形態に係る光送信器１ａのレーザダイオード駆動回路３ａに替えて、レーザダイオード駆動回路３ｃを備えている。光送信器１ｃのその他の構成は、光送信器１ａと同様である。
【００４０】
レーザダイオード駆動回路３ｃは、レーザダイオード駆動回路３ａのサブドライバ３４ａに替えてサブドライバ（副増幅部）３４ｃを有すると共に、ディレイユニット（遅延部）３８を更に有する。ディレイユニット３８は、プリドライバ３２とメインドライバ３３との間に配置され、プリドライバ３２とメインドライバ３３とに直列に接続されている。レーザダイオード駆動回路３ｃのその他の構成は、レーザダイオード駆動回路３ａと同様である。
【００４１】
ディレイユニット３８は、プリドライバ３２から、互いに相補的な差動のメイン信号（第１データ信号）ＶＡｐ及びメイン信号（第２データ信号）ＶＡｎの入力を受ける。ディレイユニット３８は、入力されたメイン信号ＶＡｐ及びメイン信号ＶＡｎの各々に対して遅延時間τの遅延を与え、遅延信号（第１遅延信号）ＶＢｐ及び遅延信号（第２遅延信号）ＶＢｎをそれぞれ生成して出力する。メインドライバ３３は、ディレイユニット３８から遅延信号ＶＢｐ，ＶＢｐの入力を受ける。メインドライバ３３は、入力された遅延信号ＶＢｐ及び遅延信号ＶＢｐを差動増幅して、信号電流（第１信号電流）ＩＭＯＤｐ及び信号電流ＩＭＯＤｎをそれぞれ出力する。サブドライバ３４ｃは、プリドライバ３２からメイン信号ＶＡｐ，ＶＡｎの入力を受けると共に、ディレイユニット３８から遅延信号ＶＢｐ，ＶＢｐの入力を受けて、信号電流ＩＳＵＢｐ，ＩＳＵＢｎを出力する。
【００４２】
サブドライバ３４ｃの詳細について説明する。図１２は、サブドライバ３４ｃの詳細を示す回路図である。図１２に示されるように、サブドライバ３４ｃは、サブドライバ３４ａに対して、ディレイユニット３４１を有さない点で異なっている。サブドライバ３４ｃのその他の構成は、サブドライバ３４ａと同様である。ただし、サブドライバ３４ｃにおける各回路間の信号の入出力についての接続関係は、サブドライバ３４ａと異なっている。
【００４３】
サブドライバ３４ｃの入力信号は、メイン信号ＶＡｐ，ＶＡｎ及び遅延信号ＶＢｐ，ＶＢｎである。サブドライバ３４ｃに入力されたメイン信号ＶＡｐ，ＶＡｎは、シンメトリックドライバ３４２及びアシンメトリックドライバ３４３に入力される。サブドライバ３４ｃに入力された遅延信号ＶＢｐ，ＶＢｎは、アシンメトリックドライバ３４３に入力される。
【００４４】
シンメトリックドライバ３４２は、メイン信号ＶＡｐ，ＶＡｎを差動増幅して信号電流ＩＥＭＰｐ及び信号電流（第２信号電流）ＩＥＭＰｎを出力する。
【００４５】
アシンメトリックドライバ３４３のＯＲ／ＮＯＲ回路３４４は、メイン信号ＶＡｐ及び遅延信号ＶＢｐの入力を受けて、メイン信号ＶＡｐ及び遅延信号ＶＢｐの否定論理和である信号電流（第３信号電流）ＩＮＯＲ１を出力すると共に、メイン信号ＶＡｐ及び遅延信号ＶＢｐの論理和である信号電流ＩＯＲ１を出力する。アシンメトリックドライバ３４３のＯＲ／ＮＯＲ回路３４５は、メイン信号ＶＡｎ及び遅延信号ＶＢｎの入力を受けて、メイン信号ＶＡｎ及び遅延信号ＶＢｎの否定論理和である信号電流（第４信号電流）ＩＮＯＲ２を出力すると共に、メイン信号ＶＡｎ及び遅延信号ＶＢｎの論理和である信号電流ＩＯＲ２を出力する。信号電流ＩＮＯＲ１と信号電流ＩＮＯＲ２とは電流加算され（合成され）、信号電流ＩＣＰｎとしてアシンメトリックドライバ３４３から出力される。また、信号電流ＩＯＲ１と信号電流ＩＯＲ２とは電流加算され、信号電流ＩＣＰｐとしてアシンメトリックドライバ３４３から出力される。
【００４６】
アシンメトリックドライバ３４３から出力された信号電流ＩＣＰｐは、シンメトリックドライバ３４２から出力された信号電流ＩＥＭＰｐと電流加算され、信号電流ＩＳＵＢｐとしてサブドライバ３４ｃから出力される。また、アシンメトリックドライバ３４３から出力された信号電流ＩＣＰｎは、シンメトリックドライバ３４２から出力された信号電流ＩＥＭＰｎと電流加算され、信号電流ＩＳＵＢｎとしてサブドライバ３４ｃから出力される。
【００４７】
サブドライバ３４ｃから出力された信号電流ＩＳＵＢｐは、メインドライバ３３から出力された信号電流ＩＭＯＤｎと電流加算され、信号電流ＩＴＯＴＡＬｎとなる。また、サブドライバ３４ｃから出力された信号電流ＩＳＵＢｎは、メインドライバ３３から出力された信号電流ＩＭＯＤｐと電流加算され、信号電流（レーザダイオード変調電流）ＩＴＯＴＡＬｐとなる。信号電流ＩＴＯＴＡＬｎは、出力端子３７ａ及び結合容量１１を介して負荷抵抗１４に供給される。また、信号電流ＩＴＯＴＡＬｐは、出力端子３７ｂ及び結合容量１１を介して光送信サブアセンブリ２の終端抵抗２３に供給される。
【００４８】
なお、ディレイユニット３８は、外部端子３４６から送信される信号に応じて、遅延時間τを可変制御可能に構成されている。また、ディレイユニット３８は、外部端子３４７からの信号に応じて、出力信号（ＶＢｐ，ＶＢｎ）の極性を反転可能に構成されている。
【００４９】
続いて、図１３及び図１４を用いて、光送信器１ｃにおける各信号波形の生成について説明する。図１３及び図１４は、光送信器１ｃにおける各信号のタイミングチャートであって、縦軸は電流及び電圧を任意の単位によって表しており、横軸は時間を任意の単位によって表している。図１３（ａ）はメイン信号ＶＡｐを表しており、図１３（ｂ）は遅延信号ＶＢｐを表している。図１３（ａ）及び図１３（ｂ）において、縦軸は電圧を表している。図１３（ａ）及び図１３（ｂ）に示されるように、遅延信号ＶＢｐは、メイン信号ＶＡｐに対してディレイユニット３８によって遅延時間τだけ遅延された信号となっている。図１３（ｃ）は、メイン信号ＶＡｐと遅延信号ＶＢｐとの否定論理和である信号電流ＩＮＯＲ１を表している。また、図１３（ｄ）は、メイン信号ＶＡｎと遅延信号ＶＢｎとの否定論理和である信号電流ＩＮＯＲ２を表している。図１３（ｅ）は、メインドライバ３３からの出力信号である信号電流ＩＭＯＤｐを表している。図１３（ｆ）は、シンメトリックドライバ３４２からの出力信号である信号電流ＩＥＭＰｎを表している。この信号電流ＩＥＭＰｎは、メイン信号ＶＡｐに対して位相を反転した信号電流である。図１３（ｇ）は、信号電流ＩＮＯＲ１と信号電流ＩＮＯＲ２とを電流加算して得られる信号電流ＩＣＰｎを表している。図１３（ｈ）は、信号電流ＩＣＰｎと、信号電流ＩＥＭＰｎと、信号電流ＩＭＯＤｐと、を電流加算して得られる信号電流ＩＴＯＴＡＬｐを表している。図１３（ｈ）によれば、レーザダイオード駆動回路３ｃから出力される信号電流ＩＴＯＴＡＬｐは、立ち上がりが遅く立ち下りが早い非対称な波形を有することがわかる。この信号電流ＩＴＯＴＡＬｐが、バックターミネーション抵抗３５と終端抵抗２３とからなる負荷抵抗により電圧に変換されることにより、図１３（ｉ）に示される信号電圧が得られる。この信号電圧が、光送信サブアセンブリ２の電界効果トランジスタ２２によって反転して、レーザダイオード２１に流れる信号電流ＩＬＤが生成される。図１３（ｊ）はこの信号電流ＩＬＤを表している。レーザダイオード２１は、このような信号電流ＩＬＤに応じて光信号を生成する。このため、光送信器１ｃによれば、立ち上がりを遅くし、立ち下りを早くするように波形が調整された、即ち、波形の非対称性が改善された光信号を生成して出力することができる。
【００５０】
さらに、光送信器１ｃによれば、図１３（ｊ）に示されるように、レーザダイオード変調電流のうちの、入力されたデータ信号の最後部分に対応する部分（例えば、図中Ａで示される部分）が強調される。このため、光送信器１ｃによれば、一層高速でレーザダイオードの変調ができる。
【００５１】
図１４（ａ）はメイン信号ＶＡｐを表しており、図１４（ｂ）は遅延信号ＶＢｐを表している。図１４（ａ）及び図１４（ｂ）において、縦軸は電圧を表している。図１４（ｃ）は、メイン信号ＶＡｐと遅延信号ＶＢｐとの論理和である信号電流ＩＯＲ１を表している。また、図１４（ｄ）は、メイン信号ＶＡｎと遅延信号ＶＢｎとの論理和である信号電流ＩＯＲ２を表している。図１４（ｅ）は、メインドライバ３３からの出力信号である信号電流ＩＭＯＤｎを表している。図１４（ｆ）は、シンメトリックドライバ３４２からの出力信号である信号電流ＩＥＭＰｐを表している。このＩＥＭＰｐは、メイン信号ＶＡｎに対して位相を反転した信号電流である。図１４（ｇ）は、信号電流ＩＯＲ１と信号電流ＩＯＲ２とを電流加算して得られる信号電流ＩＣＰｐを表している。図１４（ｈ）は、信号電流ＩＣＰｐと、信号電流ＩＥＭＰｐと、信号電流ＩＭＯＤｎと、を電流加算して得られる信号電流ＩＴＯＴＡＬｎを表している。図１４（ｈ）によれば、レーザダイオード駆動回路３ｃから出力されるＩＴＯＴＡＬｎは、立ち上がりが早く立ち下がりが遅い非対称な波形を有することがわかる。図１４（ｉ）は、ＩＴＯＴＡＬｎが負荷抵抗１４に供給されることにより生成される信号電圧の波形を表している。図１３（ｉ）及び図１４（ｉ）によれば、各信号電圧は、互いに振幅が同じで位相が反転した信号（差動出力信号）であることがわかる。
【００５２】
以上説明したように、光送信器１ｃによれば、レーザダイオード２１を駆動するための信号電流ＩＬＤの生成の際に、差分信号の生成等のアナログ演算を必用としないので、線形増幅が不要であり、したがって消費電力の増大を抑制することができる。
【００５３】
（第４実施形態）次に、本発明に係る光送信器の第４実施形態について説明する。図１５は、第４実施形態に係る光送信器を表す回路図である。図１５に示されるように、第４実施形態に係る光送信器１ｄは、第３実施形態に係る光送信器１ｃのレーザダイオード駆動回路３ｃに替えて、レーザダイオード駆動回路３ｄを備えている。光送信器１ｄのその他の構成は、光送信器１ｃと同様である。
【００５４】
レーザダイオード駆動回路３ｄは、レーザダイオード駆動回路３ｃのサブドライバ３４ｃに替えて、サブドライバ３４ｄを有している。レーザダイオード駆動回路３ｄのその他の構成は、レーザダイオード駆動回路３ｃと同様である。
【００５５】
サブドライバ３４ｄの詳細について説明する。図１６は、サブドライバ３４ｄの詳細を示す回路図である。図１６に示されるように、サブドライバ３４ｄは、サブドライバ３４ｃと同様の構成を有するが、各回路間における信号の入出力についての接続関係が異なっている。
【００５６】
サブドライバ３４ｄの入力信号は、メイン信号ＶＡｐ，ＶＡｎ及び遅延信号ＶＢｐ，ＶＢｎである。サブドライバ３４ｄに入力されたメイン信号ＶＡｐ，ＶＡｎは、シンメトリックドライバ３４２及びアシンメトリックドライバ３４３に入力される。サブドライバ３４ｄに入力された遅延信号ＶＢｐ，ＶＢｎは、アシンメトリックドライバ３４３に入力される。
【００５７】
シンメトリックドライバ３４２は、メイン信号ＶＡｐ，ＶＡｎを差動増幅して信号電流ＩＥＭＰｐ及び信号電流（第２信号電流）ＩＥＭＰｎを出力する。
【００５８】
アシンメトリックドライバ３４３のＯＲ／ＮＯＲ回路３４４は、メイン信号ＶＡｐ及び遅延信号ＶＢｎの入力を受けて、メイン信号ＶＡｐ及び遅延信号ＶＢｎの否定論理和である信号電流ＩＮＯＲ１を出力すると共に、メイン信号ＶＡｐ及び遅延信号ＶＢｎの論理和である信号電流（第３信号電流）ＩＯＲ１を出力する。アシンメトリックドライバ３４３のＯＲ／ＮＯＲ回路３４５は、メイン信号ＶＡｎ及び遅延信号ＶＢ９の入力を受けて、メイン信号ＶＡｎ及び遅延信号ＶＢｐの否定論理和である信号電流ＩＮＯＲ２を出力すると共に、メイン信号ＶＡｎ及び遅延信号ＶＢｐの論理和である信号電流（第４信号電流）ＩＯＲ２を出力する。信号電流ＩＮＯＲ１と信号電流ＩＮＯＲ２とは電流加算され（合成され）、信号電流ＩＣＰｐとしてアシンメトリックドライバ３４３から出力される。また、信号電流ＩＯＲ１と信号電流ＩＯＲ２とは電流加算され、信号電流ＩＣＰｎとしてアシンメトリックドライバ３４３から出力される。
【００５９】
アシンメトリックドライバ３４３から出力された信号電流ＩＣＰｐは、シンメトリックドライバ３４２から出力された信号電流ＩＥＭＰｐと電流加算され、信号電流ＩＳＵＢｐとしてサブドライバ３４ｄから出力される。また、アシンメトリックドライバ３４３から出力された信号電流ＩＣＰｎは、シンメトリックドライバ３４２から出力された信号電流ＩＥＭＰｎと電流加算され、信号電流ＩＳＵＢｎとしてサブドライバ３４ｄから出力される。
【００６０】
サブドライバ３４ｄから出力された信号電流ＩＳＵＢｐは、メインドライバ３３から出力された信号電流ＩＭＯＤｎと電流加算され、信号電流ＩＴＯＴＡＬｎとなる。また、サブドライバ３４ｄから出力された信号電流ＩＳＵＢｎは、メインドライバ３３から出力された信号電流ＩＭＯＤｐと電流加算され、信号電流（レーザダイオード変調電流）ＩＴＯＴＡＬｐとなる。信号電流ＩＴＯＴＡＬｎは、出力端子３７ａ及び結合容量１１を介して負荷抵抗１４に供給される。また、信号電流ＩＴＯＴＡＬｐは、出力端子３７ｂ及び結合容量１１を介して光送信サブアセンブリ２の終端抵抗２３に供給される。
【００６１】
続いて、図１７及び図１８を用いて、光送信器１ｄにおける各信号波形の生成について説明する。図１７及び図１８は、光送信器１ｄにおける各信号のタイミングチャートであって、縦軸は電流及び電圧を任意の単位によって表しており、横軸は時間を任意の単位によって表している。図１７（ａ）はメイン信号ＶＡｐを表しており、図１７（ｂ）は遅延信号ＶＢｐを表している。図１７（ａ）及び図１７（ｂ）において、縦軸は電圧を表している。図１７（ａ）及び図１７（ｂ）に示されるように、遅延信号ＶＢｐは、メイン信号ＶＡｐに対してディレイユニット３８によって遅延時間τだけ遅延された信号となっている。図１７（ｃ）は、メイン信号ＶＡｐと遅延信号ＶＢｎとの論理和である信号電流ＩＯＲ１を表している。また、図１７（ｄ）は、メイン信号ＶＡｎと遅延信号ＶＢｐとの論理和である信号電流ＩＯＲ２を表している。図１７（ｅ）は、メインドライバ３３からの出力信号である信号電流ＩＭＯＤｐを表している。図１７（ｆ）は、シンメトリックドライバ３４２からの出力信号である信号電流ＩＥＭＰｎを表している。図１７（ｇ）は、信号電流ＩＯＲ１と信号電流ＩＯＲ２とを電流加算して得られる信号電流ＩＣＰｎを表している。図１７（ｈ）は、信号電流ＩＣＰｎと、信号電流ＩＥＭＰｎと、信号電流ＩＭＯＤｐと、を電流加算して得られる信号電流ＩＴＯＴＡＬｐを表している。図１７（ｈ）によれば、レーザダイオード駆動回路３ｄから出力される信号電流ＩＴＯＴＡＬｐは、立ち上がりが遅く立ち下りが早い非対称な波形を有することがわかる。この信号電流ＩＴＯＴＡＬｐが、バックターミネーション抵抗３５と終端抵抗２３とからなる負荷抵抗により電圧に変換されることにより、図１７（ｉ）に示される信号電圧が得られる。この信号電圧が、光送信サブアセンブリ２の電界効果トランジスタ２２によって反転して、レーザダイオード２１に流れる信号電流ＩＬＤが生成される。図１７（ｊ）はこの信号電流ＩＬＤを表している。レーザダイオード２１は、このような信号電流ＩＬＤに応じて光信号を生成する。このため、光送信器１ｄによれば、立ち上がりを遅くし、立ち下りを早くするように波形が調整された、即ち、波形の非対称性が改善された光信号を生成して出力することができる。
【００６２】
さらに、光送信器１ｄによれば、図１７（ｊ）に示されるように、レーザダイオード変調電流のうちの、入力されたデータ信号の最後部分に対応する部分（例えば、図中Ｂで示される部分）が強調される。このため、光送信器１ｄによれば、一層高速でレーザダイオードの変調ができる。
【００６３】
図１８（ａ）はメイン信号ＶＡｐを表しており、図１８（ｂ）は遅延信号ＶＢｐを表している。図１８（ａ）及び図１８（ｂ）において、縦軸は電圧を表している。図１８（ｃ）は、メイン信号ＶＡｐと遅延信号ＶＢｎとの否定論理和である信号電流ＩＮＯＲ１を表している。また、図１８（ｄ）は、メイン信号ＶＡｎと遅延信号ＶＢｐとの否定論理和である信号電流ＩＮＯＲ２を表している。図１８（ｅ）は、メインドライバ３３からの出力信号である信号電流ＩＭＯＤｎを表している。図１８（ｆ）は、シンメトリックドライバ３４２からの出力信号である信号電流ＩＥＭＰｐを表している。図１８（ｇ）は、信号電流ＩＮＯＲ１と信号電流ＩＮＯＲ２とを電流加算して得られる信号電流ＩＣＰｐを表している。図１８（ｈ）は、信号電流ＩＣＰｐと、信号電流ＩＥＭＰｐと、信号電流ＩＭＯＤｎと、を電流加算して得られる信号電流ＩＴＯＴＡＬｎを表している。図１８（ｈ）によれば、レーザダイオード駆動回路３ｃから出力されるＩＴＯＴＡＬｎは、立ち上がりが早く立ち下がりが遅い非対称な波形を有することがわかる。図１８（ｉ）は、ＩＴＯＴＡＬｎが負荷抵抗１４に供給されることにより生成される信号電圧の波形を表している。図１７（ｉ）及び図１８（ｉ）によれば、各信号電圧は、互いに振幅が同じで位相が反転した信号（差動出力信号）であることがわかる。
【００６４】
以上説明したように、光送信器１ｃによれば、レーザダイオード２１を駆動するための信号電流ＩＬＤの生成の際に、差分信号の生成等のアナログ演算を必用としないので、線形増幅が不要であり、したがって消費電力の増大を抑制することができる。
【００６５】
なお、上記第１〜４実施形態における各光送信器は、片相入力のシャント駆動の光送信サブアセンブリを備えるものに限らず、例えば、図１９に示されるようなものとすることができる。図１９に示される光送信器４は、レーザダイオード駆動回路として第１実施形態に係るレーザダイオード駆動回路３ａを有するものであるが、これに替えて、第２〜４実施形態に係る各レーザダイオード駆動回路３ｂ〜３ｄを有するものとしてもよい。
【００６６】
光送信器４は、光送信サブアセンブリ５、抵抗素子４１を含む。他の構成は光送信器１ａと同様である。
【００６７】
光送信サブアセンブリ５は、レーザダイオード５１、電界効果トランジスタ５２，５３、容量素子５４及び抵抗素子５５を有する。電界効果トランジスタ５２，５３は、レーザダイオード５１に対して並列に接続されている。レーザダイオード５１のカソード及び電界効果トランジスタ５２，５３のソースは共通してグランドに接地されている。抵抗素子５５は、電界効果トランジスタ５２のゲートと電界効果トランジスタ５３のゲートとの間に接続されている。容量素子５４は、電界効果トランジスタ５２のゲートと電界効果トランジスタ５３のソースとの間に接続されている。端子４２は、電界効果トランジスタ５２，５３のゲートに対してバイアス供給するために、抵抗素子４１を介して電界効果トランジスタ５２，５３のゲートに接続されている。端子４２に適当なバイアスを印加することにより、電界効果トランジスタ５２，５３を適当なバイアス条件に設定することができる。以上説明したように、光送信器４は、差動のシャント駆動の光送信サブアセンブリ５を備える光送信器である。このような光送信器４においても、レーザダイオード駆動回路３ａを用いて、非対称な信号電流（ＩＴＯＴＡＬｐ，ＩＴＯＴＡＬｎ）を電界効果トランジスタ５２，５３に接続された抵抗素子５５に向けて供給することにより、光波形の非対称性を改善することが可能となる。
【符号の説明】
【００６８】
１ａ，１ｂ，１ｃ，１ｄ，４…光送信器、１１…結合容量、１２…インダクタ、１３，３６，４２…端子、１４…負荷抵抗、１５…インダクタ、１６…電流源、２，５…光送信サブアセンブリ、２１，５１…レーザダイオード、２２，５２，５３…電界効果トランジスタ、２３…終端抵抗、３ａ，３ｂ，３ｃ，３ｄ…レーザダイオード駆動回路、３０ａ，３０ｂ…入力端子、３１…インプットバッファ、３２…プリドライバ、３３…メインドライバ、３４ａ，３４ｂ，３４ｃ，３４ｄ…サブドライバ、３５…バックターミネーション抵抗、３７ａ，３７ｂ…出力端子、３８，３４１…ディレイユニット、３４２…シンメトリックドライバ、３４３…アシンメトリックドライバ、３４４，３４５…ＯＲ／ＮＯＲ回路、３４６，３４７，３４８，３４９…外部端子、４１，５５…抵抗素子、５４…容量素子。
【図１】
2010258405.tif 000003
【図２】
2010258405.tif 000004
【図３】
2010258405.tif 000005
【図４】
2010258405.tif 000006
【図５】
2010258405.tif 000007
【図７】
2010258405.tif 000008
【図８】
2010258405.tif 000009
【図９】
2010258405.tif 000010
【図１０】
2010258405.tif 000011
【図１１】
2010258405.tif 000012
【図１２】
2010258405.tif 000013
【図１３】
2010258405.tif 000014
【図１４】
2010258405.tif 000015
【図１５】
2010258405.tif 000016
【図１６】
2010258405.tif 000017
【図１７】
2010258405.tif 000018
【図１８】
2010258405.tif 000019
【図１９】
2010258405.tif 000020
【図６】
2010258405.tif 000021